(57)【要約】【課題】筐体の一部として形設された天板部とカセットカバーとの間にあるクリアランスがカセットカバーの開状態に応じて大きくなるものであっても、そのクリアランスからの異物侵入を防ぐことが可能なラベルプリンタ装置を提供すること。【解決手段】ラベルプリンタ装置１では、カセットカバー１５が開閉方向に回動すると、カセットカバー１５の一端部分と目隠しカバー５１の第２側端部分５１Ｂの外側とが互いに接触して摺り動くと同時に、目隠しカバー５１の第１側端部分５１Ａの内側が天板部１４の外側を摺動しながら、目隠しカバー５１が天板部１４の内側又は外側に向けて回動する。【選択図】図２
2011136443.tif 000002
【特許請求の範囲】
【請求項１】
カセット出入口が設けられた筐体と、
前記筐体のカセット出入口に連なるようにして前記筐体に内設されたカセット収納部と、
前記カセット収納部に隣接するようにして前記筐体の一部として形設された天板部と、
前記天板部との間にクリアランスを設けつつ前記カセット収納部が覆われるように前記筐体に配設されたカセットカバーと、
前記カセットカバーの内側であって前記カセットカバーの前記クリアランスに近い側の端部近傍に立設され、前記カセットカバーを前記カセット収納部に対して回動自在に軸支するために前記カセット収納部にて回動自在に軸支された第１アーム部と、
前記第１アーム部に設けられた歯面部と、
前記歯面部と噛み合うことで前記カセットカバーの回動速度を調整するように前記カセット収納部に配設されたギヤダンパと、
前記筐体のカセット出入口から前記歯面部を覆い隠すために前記カセット収納部に配設された歯面掩蔽部と、を有するラベルプリンタ装置であって、
前記天板部と前記カセットカバーとの間にあるクリアランスが覆われた状態をホームポジションとして配設された目隠しカバーと、
前記目隠しカバーの内側に立設され、前記目隠しカバーを回動自在にするために前記天板部の内側にて軸支された第２アーム部と、
前記目隠しカバーを前記天板部の外側に向けて回動する方向に付勢する付勢部と、を備え、
前記目隠しカバーがホームポジションにある状態では、前記目隠しカバーの第１側端部分が前記天板部の外側に重ね合わせて配置されるとともに、前記目隠しカバーの前記第１側端部分とは反対側に位置する第２側端部分が前記カセットカバーの内側に重ね合わせて配置されることによって、前記天板部と前記カセットカバーとの間にあるクリアランスが覆われた状態にあり、
前記カセットカバーが開く方向に回動すると、前記カセットカバーが前記目隠しカバーを押し下げることにより、前記カセットカバーと前記目隠しカバーとが互いに接触して摺り動きつつ前記目隠しカバーの第１側端部分が前記天板部の外側を摺動しながら、前記目隠しカバーが前記天板部の内側に向けて回動する一方、
前記カセットカバーが閉じる方向に回動すると、前記目隠しカバーが前記付勢部の付勢力で前記カセットカバーに押し付けられることにより、前記目隠しカバーと前記カセットカバーとが互いに接触して摺り動きつつ前記目隠しカバーの第１側端部分が前記天板部の外側を摺動しながら、前記目隠しカバーが前記天板部の外側に向けて回動し、前記カセットカバーが閉じた状態になると前記目隠しカバーがホームポジションに戻ること、を特徴とするラベルプリンタ装置。
【請求項２】
請求項１に記載するラベルプリンタ装置であって、
前記カセット収納部に収納されたテープカセットの厚み側端面の中心線上において対称的に形成された突端部の上側受面を前記カセット収納部の底平面から一定の高さに配置するカセット収納機構と、
前記カセットカバーの内側に立設されたカセット押圧部と、を有し、
前記カセット収納機構は、前記カセット収納部に収納されたテープカセットの厚み側端面の中心線上において対称的に形成された突端部の下側受面が、前記カセット収納部の底平面に立設された突起部材に載上されることにより、前記カセット収納部に収納されたテープカセットの厚みがいずれであっても、前記カセット収納部に収納されたテープカセットの突端部の上側受面を前記カセット収納部の底平面から一定の高さに配置するものであり、
前記カセットカバーが閉じた状態にあるときに前記カセット収納部に収納されたテープカセットの突端部の上側受面を前記カセット押圧部が押圧すること、を特徴とするラベルプリンタ装置。
【請求項３】
カセット出入口が設けられた筐体と、
前記筐体のカセット出入口に連なるようにして前記筐体に内設されたカセット収納部と、
前記カセット収納部に隣接するようにして前記筐体の一部として形設された天板部と、
前記天板部との間にクリアランスを設けつつ前記カセット収納部が覆われるように前記筐体に配設されたカセットカバーと、
前記カセットカバーの内側であって前記カセットカバーの前記クリアランスに近い側の端部近傍に立設され、前記カセットカバーを前記カセット収納部に対して回動自在に軸支するために前記カセット収納部にて回動自在に軸支された第１アーム部と、
前記カセット収納部に収納されたテープカセットの厚み側端面の中心線上において対称的に形成された突端部の上側受面を前記カセット収納部の底平面から一定の高さに配置するカセット収納機構と、
前記カセットカバーの内側に立設されたカセット押圧部と、を有し、
前記カセット収納機構は、前記カセット収納部に収納されたテープカセットの厚み側端面の中心線上において対称的に形成された突端部の下側受面が、前記カセット収納部の底平面に立設された突起部材に載上されることにより、前記カセット収納部に収納されたテープカセットの厚みがいずれであっても、前記カセット収納部に収納されたテープカセットの突端部の上側受面を前記カセット収納部の底平面から一定の高さに配置するものであり、
前記カセットカバーが閉じた状態にあるときに前記カセット収納部に収納されたテープカセットの突端部の上側受面を前記カセット押圧部が押圧するラベルプリンタ装置であって、
前記天板部と前記カセットカバーとの間にあるクリアランスが覆われた状態をホームポジションとして配設された目隠しカバーと、
前記目隠しカバーの内側に立設され、前記目隠しカバーを回動自在にするために前記天板部の内側にて軸支された第２アーム部と、
前記目隠しカバーを前記天板部の外側に向けて回動する方向に付勢する付勢部と、を備え、
前記目隠しカバーがホームポジションにある状態では、前記目隠しカバーの第１側端部分が前記天板部の外側に重ね合わせて配置されるとともに、前記目隠しカバーの前記第１側端部分とは反対側に位置する第２側端部分が前記カセットカバーの内側に重ね合わせて配置されることによって、前記天板部と前記カセットカバーとの間にあるクリアランスが覆われた状態にあり、
前記カセットカバーが開く方向に回動すると、前記カセットカバーが前記目隠しカバーを押し下げることにより、前記カセットカバーと前記目隠しカバーとが互いに接触して摺り動きつつ前記目隠しカバーの第１側端部分が前記天板部の外側を摺動しながら、前記目隠しカバーが前記天板部の内側に向けて回動する一方、
前記カセットカバーが閉じる方向に回動すると、前記目隠しカバーが前記付勢部の付勢力で前記カセットカバーに押し付けられることにより、前記目隠しカバーと前記カセットカバーとが互いに接触して摺り動きつつ前記目隠しカバーの第１側端部分が前記天板部の外側を摺動しながら、前記目隠しカバーが前記天板部の外側に向けて回動し、前記カセットカバーが閉じた状態になると前記目隠しカバーがホームポジションに戻ること、を特徴とするラベルプリンタ装置。
【請求項４】
請求項３に記載するラベルプリンタ装置であって、
前記第１アーム部に設けられた歯面部と、
前記歯面部と噛み合うことで前記カセットカバーの回動速度を調整するように前記カセット収納部に配設されたギヤダンパと、
前記筐体のカセット出入口から前記歯面部を覆い隠すために前記カセット収納部に配設された歯面掩蔽部と、を有すること、を特徴とするラベルプリンタ装置。
【請求項５】
請求項２乃至請求項４のいずれか一つに記載するラベルプリンタ装置であって、
前記カセット収納部に収納されたテープカセットの突端部の上側受面が前記カセットカバーの軸支中心から最も近くに配置されること、を特徴とするラベルプリンタ装置。
【請求項６】
請求項２乃至請求項５のいずれか一つに記載するラベルプリンタ装置であって、
前記カセット収納部の底平面から前記カセット収納部に収納されたテープカセットの突端部の上側受面までの最短距離が、前記カセット収納部の底平面から前記カセットカバーの軸支中心までの最短距離に等しいこと、を特徴とするラベルプリンタ装置。
【請求項７】
請求項１乃至請求項６のいずれか一つに記載するラベルプリンタ装置であって、
前記カセットカバーが閉じた状態になると、前記天板部に対して前記カセットカバーが平行な状態にあること、を特徴とするラベルプリンタ装置。
【発明の詳細な説明】
【技術分野】
【０００１】
本発明は、開閉可能なカセットカバーを備えたラベルプリンタ装置に関するものである。
【背景技術】
【０００２】
ラベルプリンタ装置では、ラベルとなる印字テープが巻回されたテープカセットを着脱する際において、カセットカバーの開閉が行われる（例えば、下記特許文献１（第２３図）参照）。
【０００３】
従来技術のラベルプリンタ装置の一例を図８乃至図１０に示す。図８は、従来技術のラベルプリンタ装置１０１の斜視図であって、カセットカバー１１５が途中まで開け又は閉じられた状態にあるときの外観を示した図である。図９は、従来技術のラベルプリンタ装置１０１を中心線Ｂ−Ｂ（図８参照）に沿って切断した断面図であって、カセットカバー１１５が完全に閉じられた状態にあるときの断面を示した図である。図１０は、従来技術のラベルプリンタ装置１０１を中心線Ｂ−Ｂ（図８参照）に沿って切断した断面図であって、カセットカバー１１５が完全に開けられた状態にあるときの断面を示した図である。
【０００４】
図８乃至図１０に示すように、従来技術のラベルプリンタ装置１０１では、筐体１１２に対して、カセット収納部１１３と天板部１１４とカセットカバー１１５等が設けられている。この点、筐体１１２の上面には、カセット出入口１１１が設けられている。カセット収納部１１３は、カセット出入口１１１に連なるようにして筐体１１２に内設されている。天板部１１４は、カセット収納部１１３に隣接するようにして、筐体１１２の上面の一部として形設されている。カセットカバー１１５は、天板部１１４との間にクリアランスＣ２を設けつつ（図９及び図１０参照）、カセット収納部１１３が覆われるように筐体１１２の上面に配設されている（図９参照）。
【０００５】
そのカセットカバー１１５の内側には、一対のアーム部１１６が立設されている。各アーム部１１６は、カセットカバー１１５をカセット収納部１１３に対して回動自在に軸支するために、カセット収納部１１３の両側面にて回動自在にそれぞれ軸支されている。さらに、各アーム部１１６には、半円状の歯面部１１７がそれぞれに設けられている。一方、カセット収納部１１３には、一対のギヤダンパ１１８が配設されている。各ギヤダンパ１１８は、各歯面部１１７とそれぞれ噛み合うことで、カセットカバー１１５が開閉される際におけるカセットカバー１１５の回動速度を調整する。さらに、カセット収納部１１３には、一対の歯面掩蔽部１１９が配設されている。各歯面掩蔽部１１９は、カセットカバー１１５が開けられた際に、筐体１１２のカセット出入口１１１から各歯面部１１７を覆い隠す（図８及び図１０参照）。
尚、ギヤダンパ１１８の上部左側部分等は、アーム部１１６で隠れて見えないが、図面の表示内容をわかりやすく示すため、そのように隠れて見えない部分でも実線で示す。
【０００６】
さらに、従来技術のラベルプリンタ装置１０１では、カセット収納機構１２１と複数のカセット押圧部１２０とが設けられている。各カセット押圧部１２０は、カセットカバー１１５の内側にある押圧面１６０に立設されている。尚、押圧面１６０は、カセットカバー１１５の内側から離れる方向に付勢されている。
【０００７】
カセット収納機構１２１は、カセット収納部１１３の底平面１４１に立設された複数の突起ピン１２２と、テープカセットＴＣの厚み側端面の中心線Ｆ（図９参照）上において対称的に形成された四隅の突端部１３１とを使用する。すなわち、カセット収納機構１２１は、カセット収納部１１３に収納されたテープカセットＴＣの各突端部１３１の下側受面１３３が、カセット収納部１１３の底平面１４１に立設された各突起ピン１２２にそれぞれ載上されることにより、カセット収納部１１３に収納されたテープカセットＴＣの厚みＤ（図９参照）がいずれであっても、カセット収納部１１３に収納されたテープカセットＴＣの各突端部１３１の上側受面１３２をカセット収納部１１３の底平面１４１から一定の高さＨ（図９参照）に配置する。
【０００８】
その配置後において、カセットカバー１１５が閉じた状態になると、カセット収納部１１３に収納されたテープカセットＴＣの各突端部１３１の上側受面１３２を、各カセット押圧部１２０が押圧面１６０の付勢力によってそれぞれ押圧する。これにより、カセット収納部１１３に収納されたテープカセットＴＣの厚みＤ（図９参照）がいずれであっても、カセット収納部１１３に収納されたテープカセットＴＣを固定させることができる。
【先行技術文献】
【特許文献】
【０００９】
【特許文献１】特開２００１−１５０７７７号公報
【発明の概要】
【発明が解決しようとする課題】
【００１０】
しかしながら、従来技術のラベルプリンタ装置１０１においては、カセットカバー１１５が全開された際でも、筐体１１２のカセット出入口１１１から各歯面部１１７を各歯面掩蔽部１１９でそれぞれ覆い隠すために（図８及び図１０参照）、各アーム部１１６を介してカセットカバー１１５を回動自在にするカセットカバー１１５の軸支中心Ｐ２が、筐体１１２のカセット出入口１１１から深い位置にそれぞれ設けられていた。
【００１１】
すなわち、各アーム部１１６を介してカセットカバー１１５を回動自在にするカセットカバー１１５の軸支中心Ｐ２が、筐体１１２の上面の一部として形設された天板部１１４の間近にないことから、天板部１１４とカセットカバー１１５との間に設けられたクリアランスＣ２がカセットカバー１１５の開状態によっては大きくなるので、大きくなったクリアランスＣ２を介して異物がカセット収納部１１３に侵入するおそれがあった。特に、開状態にあるカセットカバー１１５は斜めの状態でもあるので、カセットカバー１１５上に異物があれば、その異物は、斜めの状態にあるカセットカバー１１５上を滑降し、大きくなったクリアランスＣ２を介して、カセット収納部１１３に侵入することも考えられる。
【００１２】
また、従来技術のラベルプリンタ装置１０１において、カセット収納部１１３に収納されたテープカセットＴＣをより固定させやすくするには、カセット収納部１１３に収納されたテープカセットＴＣの各突端部１３１の上側受面１３２に対して、各カセット押圧部１２０が押圧する方向を垂直（真上）方向により近づけることが望ましい。そのためには、カセット収納部１１３の底平面１４１からカセット収納部１１３に収納されたテープカセットＴＣの各突端部１３１の上側受面１３２までの最短距離Ｈと、カセット収納部１１３の底平面１４１からカセットカバー１１５の軸支中心Ｐ２までの最短距離Ｅとをより近づける必要がある（図９参照）。このように設計する場合においても、カセット収納部１１３に収納させるテープカセットＴＣの厚みＤが最小から最大までの様々なケースに対応させようとすれば、各アーム部１１６を介してカセットカバー１１５を回動自在にするカセットカバー１１５の軸支中心Ｐ２を、筐体１１２のカセット出入口１１１から深い位置に設ける必要があるので、同様にして、大きくなったクリアランスＣ２を介して異物がカセット収納部１１３に侵入するおそれがあった。
【００１３】
そこで、本発明は、上述した点を鑑みてなされたものであり、筐体の一部として形設された天板部とカセットカバーとの間にあるクリアランスがカセットカバーの開状態に応じて大きくなるものであっても、そのクリアランスからの異物侵入を防ぐことが可能なラベルプリンタ装置を提供することを課題とする。
【課題を解決するための手段】
【００１４】
この課題を解決するためになされた請求項１に係る発明は、カセット出入口が設けられた筐体と、前記筐体のカセット出入口に連なるようにして前記筐体に内設されたカセット収納部と、前記カセット収納部に隣接するようにして前記筐体の一部として形設された天板部と、前記天板部との間にクリアランスを設けつつ前記カセット収納部が覆われるように前記筐体に配設されたカセットカバーと、前記カセットカバーの内側であって前記カセットカバーの前記クリアランスに近い側の端部近傍に立設され、前記カセットカバーを前記カセット収納部に対して回動自在に軸支するために前記カセット収納部にて回動自在に軸支された第１アーム部と、前記第１アーム部に設けられた歯面部と、前記歯面部と噛み合うことで前記カセットカバーの回動速度を調整するように前記カセット収納部に配設されたギヤダンパと、前記筐体のカセット出入口から前記歯面部を覆い隠すために前記カセット収納部に配設された歯面掩蔽部と、を有するラベルプリンタ装置であって、前記天板部と前記カセットカバーとの間にあるクリアランスが覆われた状態をホームポジションとして配設された目隠しカバーと、前記目隠しカバーの内側に立設され、前記目隠しカバーを回動自在にするために前記天板部の内側にて軸支された第２アーム部と、前記目隠しカバーを前記天板部の外側に向けて回動する方向に付勢する付勢部と、を備え、前記目隠しカバーがホームポジションにある状態では、前記目隠しカバーの第１側端部分が前記天板部の外側に重ね合わせて配置されるとともに、前記目隠しカバーの前記第１側端部分とは反対側に位置する第２側端部分が前記カセットカバーの内側に重ね合わせて配置されることによって、前記天板部と前記カセットカバーとの間にあるクリアランスが覆われた状態にあり、前記カセットカバーが開く方向に回動すると、前記カセットカバーが前記目隠しカバーを押し下げることにより、前記カセットカバーと前記目隠しカバーとが互いに接触して摺り動きつつ前記目隠しカバーの第１側端部分が前記天板部の外側を摺動しながら、前記目隠しカバーが前記天板部の内側に向けて回動する一方、前記カセットカバーが閉じる方向に回動すると、前記目隠しカバーが前記付勢部の付勢力で前記カセットカバーに押し付けられることにより、前記目隠しカバーと前記カセットカバーとが互いに接触して摺り動きつつ前記目隠しカバーの第１側端部分が前記天板部の外側を摺動しながら、前記目隠しカバーが前記天板部の外側に向けて回動し、前記カセットカバーが閉じた状態になると前記目隠しカバーがホームポジションに戻ること、を特徴とする。
【００１５】
また、請求項２に係る発明は、請求項１に記載するラベルプリンタ装置であって、前記カセット収納部に収納されたテープカセットの厚み側端面の中心線上において対称的に形成された突端部の上側受面を前記カセット収納部の底平面から一定の高さに配置するカセット収納機構と、前記カセットカバーの内側に立設されたカセット押圧部と、を有し、前記カセット収納機構は、前記カセット収納部に収納されたテープカセットの厚み側端面の中心線上において対称的に形成された突端部の下側受面が、前記カセット収納部の底平面に立設された突起部材に載上されることにより、前記カセット収納部に収納されたテープカセットの厚みがいずれであっても、前記カセット収納部に収納されたテープカセットの突端部の上側受面を前記カセット収納部の底平面から一定の高さに配置するものであり、前記カセットカバーが閉じた状態にあるときに前記カセット収納部に収納されたテープカセットの突端部の上側受面を前記カセット押圧部が押圧すること、を特徴とする。
【００１６】
また、請求項３に係る発明は、カセット出入口が設けられた筐体と、前記筐体のカセット出入口に連なるようにして前記筐体に内設されたカセット収納部と、前記カセット収納部に隣接するようにして前記筐体の一部として形設された天板部と、前記天板部との間にクリアランスを設けつつ前記カセット収納部が覆われるように前記筐体に配設されたカセットカバーと、前記カセットカバーの内側であって前記カセットカバーの前記クリアランスに近い側の端部近傍に立設され、前記カセットカバーを前記カセット収納部に対して回動自在に軸支するために前記カセット収納部にて回動自在に軸支された第１アーム部と、前記カセット収納部に収納されたテープカセットの厚み側端面の中心線上において対称的に形成された突端部の上側受面を前記カセット収納部の底平面から一定の高さに配置するカセット収納機構と、前記カセットカバーの内側に立設されたカセット押圧部と、を有し、前記カセット収納機構は、前記カセット収納部に収納されたテープカセットの厚み側端面の中心線上において対称的に形成された突端部の下側受面が、前記カセット収納部の底平面に立設された突起部材に載上されることにより、前記カセット収納部に収納されたテープカセットの厚みがいずれであっても、前記カセット収納部に収納されたテープカセットの突端部の上側受面を前記カセット収納部の底平面から一定の高さに配置するものであり、前記カセットカバーが閉じた状態にあるときに前記カセット収納部に収納されたテープカセットの突端部の上側受面を前記カセット押圧部が押圧するラベルプリンタ装置であって、前記天板部と前記カセットカバーとの間にあるクリアランスが覆われた状態をホームポジションとして配設された目隠しカバーと、前記目隠しカバーの内側に立設され、前記目隠しカバーを回動自在にするために前記天板部の内側にて軸支された第２アーム部と、前記目隠しカバーを前記天板部の外側に向けて回動する方向に付勢する付勢部と、を備え、前記目隠しカバーがホームポジションにある状態では、前記目隠しカバーの第１側端部分が前記天板部の外側に重ね合わせて配置されるとともに、前記目隠しカバーの前記第１側端部分とは反対側に位置する第２側端部分が前記カセットカバーの内側に重ね合わせて配置されることによって、前記天板部と前記カセットカバーとの間にあるクリアランスが覆われた状態にあり、前記カセットカバーが開く方向に回動すると、前記カセットカバーが前記目隠しカバーを押し下げることにより、前記カセットカバーと前記目隠しカバーとが互いに接触して摺り動きつつ前記目隠しカバーの第１側端部分が前記天板部の外側を摺動しながら、前記目隠しカバーが前記天板部の内側に向けて回動する一方、前記カセットカバーが閉じる方向に回動すると、前記目隠しカバーが前記付勢部の付勢力で前記カセットカバーに押し付けられることにより、前記目隠しカバーと前記カセットカバーとが互いに接触して摺り動きつつ前記目隠しカバーの第１側端部分が前記天板部の外側を摺動しながら、前記目隠しカバーが前記天板部の外側に向けて回動し、前記カセットカバーが閉じた状態になると前記目隠しカバーがホームポジションに戻ること、を特徴とする。
【００１７】
また、請求項４に係る発明は、請求項３に記載するラベルプリンタ装置であって、前記第１アーム部に設けられた歯面部と、前記歯面部と噛み合うことで前記カセットカバーの回動速度を調整するように前記カセット収納部に配設されたギヤダンパと、前記筐体のカセット出入口から前記歯面部を覆い隠すために前記カセット収納部に配設された歯面掩蔽部と、を有すること、を特徴とする。
【００１８】
また、請求項５に係る発明は、請求項２乃至請求項４のいずれか一つに記載するラベルプリンタ装置であって、前記カセット収納部に収納されたテープカセットの突端部の上側受面が前記カセットカバーの軸支中心から最も近くに配置されること、を特徴とする。
【００１９】
また、請求項６に係る発明は、請求項２乃至請求項５のいずれか一つに記載するラベルプリンタ装置であって、前記カセット収納部の底平面から前記カセット収納部に収納されたテープカセットの突端部の上側受面までの最短距離が、前記カセット収納部の底平面から前記カセットカバーの軸支中心までの最短距離に等しいこと、を特徴とする。
【００２０】
また、請求項７に係る発明は、請求項１乃至請求項６のいずれか一つに記載するラベルプリンタ装置であって、前記カセットカバーが閉じた状態になると、前記天板部に対して前記カセットカバーが平行な状態にあること、を特徴とする。
【発明の効果】
【００２１】
本発明のラベルプリンタ装置では、（ａ）筐体のカセット出入口から歯面部を覆い隠すためにカセット収納部に配設された歯面掩蔽部を有する構成や、（ｂ）カセット収納部に収納されたテープカセットの厚みがいずれであっても、カセット収納部に収納されたテープカセットの厚み側端面の中心線上において対称的に形成された突端部の上側受面をカセット収納部の底平面から一定の高さに配置するカセット収納機構を有する構成や、（ｃ）上述した（ａ）と（ｂ）の双方を兼ねた構成のいずれかを有し、これらの（ａ）（ｂ）（ｃ）のいずれの構成であっても、各第１アーム部を介してカセットカバーを回動自在にするカセットカバーの軸支中心を、筐体のカセット出入口から深い位置に設ける必要があるので、筐体の一部として形設された天板部とカセットカバーとの間にあるクリアランスがカセットカバーの開状態に応じて大きくなる。しかしながら、本発明のラベルプリンタ装置では、（I）目隠しカバーがホームポジションにある状態では、目隠しカバーの第１側端部分が天板部の外側に重ね合わせて配置されるとともに、目隠しカバーの第２側端部分がカセットカバーの内側に重ね合わせて配置されることによって、天板部とカセットカバーとの間にあるクリアランスが覆われた状態にあり、（II）カセットカバーが開く方向に回動すると、カセットカバーが目隠しカバーを押し下げることにより、カセットカバーと目隠しカバーとが互いに接触して摺り動きつつ目隠しカバーの第１側端部分が天板部の外側を摺動しながら、目隠しカバーが天板部の内側に向けて回動する一方、（III）カセットカバーが閉じる方向に回動すると、目隠しカバーが付勢部の付勢力でカセットカバーに押し付けられることにより、目隠しカバーとカセットカバーとが互いに接触して摺り動きつつ目隠しカバーの第１側端部分が天板部の外側を摺動しながら、目隠しカバーが天板部の外側に向けて回動し、カセットカバーが閉じた状態になると目隠しカバーがホームポジションに戻る。従って、本発明のラベルプリンタ装置では、天板部とカセットカバーとの間にあるクリアランスは、上述した（I）（II）（III）のように、カセットカバーがどのような状態にあっても、目隠しカバーで塞がれることから、筐体の一部として形設された天板部とカセットカバーとの間にあるクリアランスがカセットカバーの開状態に応じて大きくなるものであっても、そのクリアランスからの異物侵入を防ぐことが可能である。
【００２２】
また、本発明のラベルプリンタ装置において、カセット収納部に収納されたテープカセットの突端部の上側受面がカセットカバーの軸支中心から最も近くに配置されるようにすれば、カセット収納部に収納されたテープカセットの突端部の上側受面に対してカセット押圧部が押圧する方向を垂直（真上）方向により近づけることができるので、カセット収納部に収納されたテープカセットをより固定させやすい。
【００２３】
また、本発明のラベルプリンタ装置において、カセット収納部の底平面からカセット収納部に収納されたテープカセットの突端部の上側受面までの最短距離が、カセット収納部の底平面からカセットカバーの軸支中心までの最短距離に等しい場合には、カセット収納部に収納されたテープカセットの突端部の上側受面に対して、カセット押圧部を垂直（真上）方向から押圧させることができるので、カセット収納部に収納されたテープカセットをより確実に固定させることができる。
【００２４】
また、本発明のラベルプリンタ装置が、カセットカバーが閉じた状態になると、天板部に対してカセットカバーが平行な状態にあるものである場合には、上述した（ａ）（ｂ）（ｃ）のいずれかの構成を有すれば、筐体の一部として形設された天板部とカセットカバーとの間にクリアランスを必ず設けなければならないので、上述した効果がより重要視される。
【図面の簡単な説明】
【００２５】
【図１】本実施の形態のラベルプリンタ装置の斜視図であって、カセットカバーが途中まで開け又は閉じられた状態にあるときの外観を示した図である。
【図２】同ラベルプリンタ装置を中心線Ａ−Ａ（図１参照）に沿って切断した断面図であって、カセットカバーが完全に閉じられた状態にあるときの断面を示した図である。
【図３】同ラベルプリンタ装置を中心線Ａ−Ａ（図１参照）に沿って切断した断面図であって、カセットカバーが途中まで開け又は閉じられた状態にあるときの断面を示した図である。
【図４】同ラベルプリンタ装置を中心線Ａ−Ａ（図１参照）に沿って切断した断面図であって、カセットカバーが完全に開けられた状態にあるときの断面を示した図である。
【図５】同ラベルプリンタ装置の変形例を中心線Ａ−Ａ（図１参照）に沿って切断した断面図であって、カセットカバーが完全に閉じられた状態にあるときの断面を示した図である。
【図６】同ラベルプリンタ装置の変形例を中心線Ａ−Ａ（図１参照）に沿って切断した断面図であって、カセットカバーが途中まで開け又は閉じられた状態にあるときの断面を示した図である。
【図７】同ラベルプリンタ装置の変形例を中心線Ａ−Ａ（図１参照）に沿って切断した断面図であって、カセットカバーが完全に開けられた状態にあるときの断面を示した図である。
【図８】従来技術のラベルプリンタ装置の斜視図であって、カセットカバーが完全に開けられた状態にあるときの外観を示した図である。
【図９】従来技術のラベルプリンタ装置を中心線Ｂ−Ｂ（図８参照）に沿って切断した断面図であって、カセットカバーが閉じられた状態にあるときの断面を示した図である。
【図１０】従来技術のラベルプリンタ装置を中心線Ｂ−Ｂ（図８参照）に沿って切断した断面図であって、カセットカバーが完全に開けられた状態にあるときの断面を示した図である。
【発明を実施するための最良の形態】
【００２６】
本発明の実施形態の一例を図面を参照にして説明する。図１乃至図４は、本実施形態のラベルプリンタ装置１を示した図である。図１は、本実施形態のラベルプリンタ装置１の斜視図であって、カセットカバー１５が途中まで開け又は閉じられた状態にあるときの外観を示した図である。図２は、本実施形態のラベルプリンタ装置１を中心線Ａ−Ａ（図１参照）に沿って切断した断面図であって、カセットカバー１５が完全に閉じられた状態にあるときの断面を示した図である。図３は、本実施形態のラベルプリンタ装置１を中心線Ａ−Ａ（図１参照）に沿って切断した断面図であって、カセットカバー１５が途中まで開け又は閉じられた状態にあるときの断面を示した図である。図４は、本実施形態のラベルプリンタ装置１を中心線Ａ−Ａ（図１参照）に沿って切断した断面図であって、カセットカバー１５が完全に開けられた状態にあるときの断面を示した図である。
【００２７】
図１乃至図４に示すように、本実施形態のラベルプリンタ装置１では、筐体１２に対して、カセット収納部１３と天板部１４とカセットカバー１５等が設けられている。この点、筐体１２の上面には、カセット出入口１１が設けられている。カセット収納部１３は、カセット出入口１１に連なるようにして筐体１２に内設されている。天板部１４は、カセット収納部１３に隣接するようにして、筐体１２の上面の一部として形設されている。カセットカバー１５は、天板部１４との間にクリアランスＣ１を設けつつ（図２乃至図４参照）、カセット収納部１３が覆われるように筐体１２の上面に配設されている（図２参照）。
【００２８】
そのカセットカバー１５の内側には、クリアランスＣ１に近い側の端部の近傍に一対のアーム部１６が立設されている。各アーム部１６は、カセットカバー１５をカセット収納部１３に対して回動自在に軸支するために、カセット収納部１３の両側面にて回動自在にそれぞれ軸支されている。さらに、各アーム部１６には、半円状の歯面部１７がそれぞれに設けられている。一方、カセット収納部１３には、一対のギヤダンパ１８が配設されている。各ギヤダンパ１８は、各歯面部１７とそれぞれ噛み合うことで、カセットカバー１５が開閉される際におけるカセットカバー１５の回動速度を調整する。さらに、カセット収納部１３には、一対の歯面掩蔽部１９が配設されている。各歯面掩蔽部１９は、カセットカバー１５が開けられた際に、筐体１２のカセット出入口１１から各歯面部１７を覆い隠す（図１乃至図４参照）。
尚、ギヤダンパ１８の上部左側部分等は、アーム部１６で隠れて見えないが、図面の表示内容をわかりやすく示すため、そのように隠れて見えない部分でも実線で示す。
【００２９】
さらに、本実施形態のラベルプリンタ装置１では、カセット収納機構２１と複数のカセット押圧部２０とが設けられている。各カセット押圧部２０は、カセットカバー１５の内側にある押圧面６０に立設されている。尚、押圧面６０は、カセットカバー１５の内側から離れる方向に付勢されている。
【００３０】
カセット収納機構２１は、カセット収納部１３の底平面４１に立設された複数の突起ピン２２と、テープカセットＴＣの厚み側端面の中心線Ｆ（図２参照）上において対称的に形成された四隅の突端部３１とを使用する。すなわち、カセット収納機構２１は、カセット収納部１３に収納されたテープカセットＴＣの各突端部３１の下側受面３３が、カセット収納部１３の底平面４１に立設された各突起ピン２２にそれぞれ載上されることにより、カセット収納部１３に収納されたテープカセットＴＣの厚みＤ（図２参照）がいずれであっても、カセット収納部１３に収納されたテープカセットＴＣの各突端部３１の上側受面３２をカセット収納部１３の底平面４１から一定の高さＨ（図２参照）に配置する。
【００３１】
その配置後において、カセットカバー１５が閉じた状態になると、カセット収納部１３に収納されたテープカセットＴＣの各突端部３１の上側受面３２を、各カセット押圧部２０が押圧面６０の付勢力によってそれぞれ押圧する。これにより、カセット収納部１３に収納されたテープカセットＴＣの厚みＤ（図２参照）がいずれであっても、カセット収納部１３に収納されたテープカセットＴＣを固定させることができる。
【００３２】
さらに、本実施形態のラベルプリンタ装置１では、天板部１４とカセットカバー１５との間に目隠しカバー５１が配設されている。目隠しカバー５１は、図２に示すように、天板部１４とカセットカバー１５との間にあるクリアランスＣ１が覆われた状態をホームポジションとする。また、目隠しカバー５１の内側には、屈曲アーム部５２が立設されている。屈曲アーム部５２は、目隠しカバー５１を回動自在にするために天板部１４の内側にて軸支されている。このようして回動自在に軸支された目隠しカバー５１は、その軸支箇所に設けられたねじりバネ５３によって、天板部１４の外側に向けて回動する方向に付勢されている。
【００３３】
さらに、目隠しカバー５１がホームポジションにある状態では（図２参照）、目隠しカバー５１の第１側端部分５１Ａが天板部１４の外側に重ね合わせて配置されるとともに、目隠しカバー５１の第１側端部分５１Ａとは反対側に位置する第２側端部分５１Ｂがカセットカバー１５の内側に重ね合わせて配置される。この配置によって、天板部１４とカセットカバー１５との間にあるクリアランスＣ１が覆われた状態にある。
【００３４】
尚、目隠しカバー５１においては、天板部１４の外側に重ね合わせて配置される第１側端部分５１Ａが、カセットカバー１５の内側に重ね合わせて配置される第２側端部分５１Ｂよりも厚く形成されている。従って、目隠しカバー５１では、第１側端部分５１Ａと第２側端部分５１Ｂとの間において段差が形成されている。
【００３５】
ところで、本実施形態のラベルプリンタ装置１では、（ａ）筐体１２のカセット出入口１１から歯面部１７を覆い隠すためにカセット収納部１３に配設された歯面掩蔽部１９と、（ｂ）カセット収納部１３に収納されたテープカセットＴＣの厚みＤ（図２参照）がいずれであっても、カセット収納部１３に収納されたテープカセットＴＣの厚み側端面の中心線Ｆ（図２参照）上において対称的に四隅に形成された突端部３１の上側受面３２をカセット収納部１３の底平面４１から一定の高さＨ（図２参照）に配置するカセット収納機構２１とを有し、上述した（ａ）と（ｂ）の双方を兼ねた構成である。このような構成では、「発明が解決しようとする課題」の欄で既に説明したように、各アーム部１６を介してカセットカバー１５を回動自在にするカセットカバー１５の軸支中心Ｐ１を、筐体１２のカセット出入口１１から深い位置に設ける必要があるので、筐体１２の一部として形設された天板部１４とカセットカバー１５との間にあるクリアランスＣ１がカセットカバー１５の開状態に応じて大きくなる。
【００３６】
しかしながら、本実施形態のラベルプリンタ装置１では、図２に示すように、（I）目隠しカバー５１がホームポジションにある状態では、目隠しカバー５１の第１側端部分５１Ａが天板部１４の外側に重ね合わせて配置されるとともに、目隠しカバー５１の第２側端部分５１Ｂがカセットカバー１５の内側に重ね合わせて配置されることによって、天板部１４とカセットカバー１５との間にあるクリアランスＣ１が覆われた状態にある。
【００３７】
そして、図２、図３、図４の順に示すようにして、（II）カセットカバー１５が開く方向に回動すると、カセットカバー１５の一端部分が目隠しカバー５１の第２側端部分５１Ｂの外側を押し下げることにより、カセットカバー１５の一端部分と目隠しカバー５１の第２側端部分５１Ｂの外側とが互いに接触して摺り動くと同時に、目隠しカバー５１の第１側端部分５１Ａの内側が天板部１４の外側を摺動しながら、目隠しカバー５１が天板部１４の内側に向けて回動する。
【００３８】
一方、図４、図３、図２の順に示すようにして、（III）カセットカバー１５が閉じる方向に回動すると、目隠しカバー５１の第２側端部分５１Ｂの外側がねじりバネ５３の付勢力でカセットカバー１５の一端部分に押し付けられることにより、目隠しカバー５１の第２側端部分５１Ｂの外側とカセットカバー１５の一端部分とが互いに接触して摺り動くと同時に、目隠しカバー５１の第１側端部分５１Ａの内側が天板部１４の外側を摺動しながら、目隠しカバー５１が天板部１４の外側に向けて回動する。これにより、カセットカバー１５が閉じた状態になり、目隠しカバー５１がホームポジションに戻る。
【００３９】
従って、本実施形態のラベルプリンタ装置１では、上述した（I）（II）（III）のようにしてカセットカバー１５の回動動作と目隠しカバー５１の回動動作とが連動・追従するので、天板部１４とカセットカバー１５との間にあるクリアランスＣ１は、カセットカバー１５がどのような状態にあっても、目隠しカバー５１で塞がれることから、筐体１２の一部として形設された天板部１４とカセットカバー１５との間にあるクリアランスＣ１がカセットカバー１５の開状態に応じて大きくなるものであっても、そのクリアランスＣ１からの異物侵入を防ぐことが可能である。
【００４０】
また、本実施形態のラベルプリンタ装置１では、図２に示すように、カセット収納部１３の底平面４１からカセット収納部１３に収納されたテープカセットＴＣの突端部３１の上側受面３２までの最短距離Ｈが、カセット収納部１３の底平面４１からカセットカバー１５の軸支中心Ｐ１までの最短距離Ｅに等しくなく、距離Ｇの差が存在する。
【００４１】
しかしながら、ギヤダンパ１８をカセット収納部１３に配設しなければならない設計条件の下では、本実施形態のラベルプリンタ装置１は、図２乃至図４に示すように、カセット収納部１３に収納されたテープカセットＴＣの突端部３１の上側受面３２が、カセットカバー１５の軸支中心Ｐ１から最も近くに配置されているものである。従って、本実施形態のラベルプリンタ装置１では、カセット収納部１３に収納されたテープカセットＴＣの各突端部３１の上側受面３２のうち、カセットカバー１５の軸支中心Ｐ１から最も近くに配置されている上側受面３２に対して、図３に示す円弧Ｑ１が示すように、カセット押圧部２０が押圧する方向を垂直（真上）方向により近づけることができるので、カセット収納部１３に収納されたテープカセットＴＣをより固定させやすい。
【００４２】
尚、本発明は上記実施の形態に限定されるものでなく、その趣旨を逸脱しない範囲で様々な変更が可能である。
例えば、本実施形態のラベルプリンタ装置１において、図５乃至図７に示す変形例のように、カセット収納部１３の底平面４１からカセット収納部１３に収納されたテープカセットＴＣの突端部３１の上側受面３２までの最短距離Ｈが、カセット収納部１３の底平面４１からカセットカバー１５の軸支中心Ｐ１までの最短距離Ｅに等しくしてもよい。
【００４３】
図５は、本実施形態のラベルプリンタ装置１の変形例を中心線Ａ−Ａ（図１参照）に沿って切断した断面図であって、カセットカバー１５が完全に閉じられた状態にあるときの断面を示した図である。図６は、本実施形態のラベルプリンタ装置１の変形例を中心線Ａ−Ａ（図１参照）に沿って切断した断面図であって、カセットカバー１５が途中まで開け又は閉じられた状態にあるときの断面を示した図である。図７は、本実施形態のラベルプリンタ装置１の変形例を中心線Ａ−Ａ（図１参照）に沿って切断した断面図であって、カセットカバー１５が完全に開けられた状態にあるときの断面を示した図である。
【００４４】
但し、上記押圧面６０に加えて、上記各歯面部１７や上記ギヤダンパ１８や上記歯面掩蔽部１９は、図５乃至図７に示す変形例にはない。もっとも、図５乃至図７に示す変形例では、その他の構成は、上述した本実施形態のラベルプリンタ装置１と同じである。
【００４５】
従って、このような変形例では、（ｂ）カセット収納部１３に収納されたテープカセットＴＣの厚みＤ（図５参照）がいずれであっても、カセット収納部１３に収納されたテープカセットＴＣの厚み側端面の中心線Ｆ（図５参照）上において対称的に四隅に形成された突端部３１の上側受面３２をカセット収納部１３の底平面４１から一定の高さＨ（図５参照）に配置するカセット収納機構２１を有した構成である。このような構成であっても、上述した本実施形態のラベルプリンタ装置１と同様であり、上述した（I）（II）（III）のようにしてカセットカバー１５の回動動作と目隠しカバー５１の回動動作とが連動・追従するので、天板部１４とカセットカバー１５との間にあるクリアランスＣ１は、カセットカバー１５がどのような状態にあっても、目隠しカバー５１で塞がれることから、筐体１２の一部として形設された天板部１４とカセットカバー１５との間にあるクリアランスＣ１がカセットカバー１５の開状態に応じて大きくなるものであっても、そのクリアランスＣ１からの異物侵入を防ぐことが可能である。
【００４６】
また、このような変形例では、カセット収納部１３の底平面４１からカセット収納部１３に収納されたテープカセットＴＣの突端部３１の上側受面３２までの最短距離Ｈが、カセット収納部１３の底平面４１からカセットカバー１５の軸支中心Ｐ１までの最短距離Ｅに等しい。従って、カセットカバー１５を閉じた状態にするときは、図７及び図６に示す円弧Ｑ２が示すようにして、カセット収納部１３に収納されたテープカセットＴＣの各突端部３１の上側受面３２に対して、各カセット押圧部２０を垂直（真上）方向から押圧させることができるので、カセット収納部１３に収納されたテープカセットＴＣをより確実に固定させることができる。
【００４７】
尚、上記押圧面６０（図２乃至図４参照）を設けている場合であっても、カセット収納部１３の底平面４１からカセット収納部１３に収納されたテープカセットＴＣの突端部３１の上側受面３２までの最短距離Ｈが、カセット収納部１３の底平面４１からカセットカバー１５の軸支中心Ｐ１までの最短距離Ｅに等しくなるようにすれば、上記の変形例と同様な効果を得ることができる。
【００４８】
また、図示はしていないが、別の変形例として、カセット収納機構２１はないが、（ａ）筐体１２のカセット出入口１１から歯面部１７を覆い隠すためにカセット収納部１３に配設された歯面掩蔽部１９を有した構成にしてもよい。このような構成であっても、上述した本実施形態のラベルプリンタ装置１と同様であり、上述した（I）（II）（III）のようにしてカセットカバー１５の回動動作と目隠しカバー５１の回動動作とが連動・追従するので、天板部１４とカセットカバー１５との間にあるクリアランスＣ１は、カセットカバー１５がどのような状態にあっても、目隠しカバー５１で塞がれることから、筐体１２の一部として形設された天板部１４とカセットカバー１５との間にあるクリアランスＣ１がカセットカバー１５の開状態に応じて大きくなるものであっても、そのクリアランスＣ１からの異物侵入を防ぐことが可能である。
【００４９】
尚、本実施形態のラベルプリンタ装置１や双方の変形例では、（ａ）筐体１２のカセット出入口１１から歯面部１７を覆い隠すためにカセット収納部１３に配設された歯面掩蔽部１９を有した構成、（ｂ）カセット収納部１３に収納されたテープカセットＴＣの厚みＤ（図５参照）がいずれであっても、カセット収納部１３に収納されたテープカセットＴＣの厚み側端面の中心線Ｆ（図５参照）上において対称的に四隅に形成された突端部３１の上側受面３２をカセット収納部１３の底平面４１から一定の高さＨ（図５参照）に配置するカセット収納機構２１を有した構成、又は（ｃ）上述した（ａ）と（ｂ）の双方を兼ねた構成のいずれかを有しており、さらに、例えば、図２や図５に示すように、カセットカバー１５が閉じた状態になると、天板部１４に対してカセットカバー１５が平行な状態にあることから、筐体１２の一部として形設された天板部１４とカセットカバー１５との間にクリアランスＣ１を必ず設けなければならないので、上述した効果がより重要視される。
【符号の説明】
【００５０】
１    ラベルプリンタ装置
１１    カセット出入口
１２    筐体
１３    カセット収納部
１４    天板部
１５    カセットカバー
１６    アーム部
１７    歯面部
１８    ギヤダンパ
１９    歯面掩蔽部
２０    カセット押圧部
２１    カセット収納機構
２２    カセット収納部の底平面に立設された突起ピン
３１    テープカセットの厚み側端面の中心線上において対称的に形成された突端部
３２    突端部の上側受面
３３    突端部の下側受面
４１    カセット収納部の底平面
５１    目隠しカバー
５１Ａ  目隠しカバーの第１側端部分
５１Ｂ  目隠しカバーの第２側端部分
５２    屈曲アーム部
５３    ねじりバネ
Ｃ１  クリアランス
Ｄ    テープカセットの厚み
Ｅ    カセット収納部の底平面からカセットカバーの軸支中心までの距離
Ｆ    テープカセットの厚み側端面の中心線
Ｈ    カセット収納部の底平面からカセット収納部に収納されたテープカセットの突端部の上側受面までの距離
Ｐ１  カセットカバーの軸支中心
ＴＣ  テープカセット
【図１】
2011136443.tif 000003
【図２】
2011136443.tif 000004
【図３】
2011136443.tif 000005
【図４】
2011136443.tif 000006
【図５】
2011136443.tif 000007
【図６】
2011136443.tif 000008
【図７】
2011136443.tif 000009
【図８】
2011136443.tif 000010
【図９】
2011136443.tif 000011
【図１０】
2011136443.tif 000012